(57)【要約】【課題】  撮影した画像データの漏洩防止を図ってセキュリティを向上させ、更に伝送データのデータ量を減少させることができるＩＴを使用した介護ネットワークシステムを提供する。【解決手段】  被介護者の室内で撮影された画像データは屋内のＰＣ２に一定期間蓄積されると共に、介護者が在席する管理センタの介護者用サーバ１からの要求があれば過去の画像データ若しくはライブ画像を当該管理センタのサーバに送信し、サーバ１では画像データを蓄積するのではなく、アクセスのログを記録して表示可能とするものであり、更に被介護者の室内に設けられたマット２８で心拍数が測定され、その心拍数が予め定められた範囲内でなければ対話者撮影用カメラ２６をオンしてＰＣ２の表示部２５に介護者との対話を行う画面を表示する介護ネットワークシステムである。【選択図】        図１
2005321883.tif 000002
【特許請求の範囲】
【請求項１】
被介護者に対して特定単位毎に対応して設けられた複数の被介護者用コンピュータと、前記被介護者用コンピュータにネットワークを介して接続する介護者用サーバとを備えた介護ネットワークシステムであって、
前記被介護者用コンピュータは、対話用の表示画面を表示する表示部と、対話者撮影用カメラとを少なくとも備え、更に被介護者の状況を撮影する状況撮影用カメラが接続され、前記状況撮影用カメラで撮影された画像データを記憶する記憶部と、前記介護者用サーバからの要求により前記記憶部に記憶した過去の画像データ若しくは前記状況撮影用カメラで撮影された現在の画像データを前記介護者用サーバに送信する制御部とを有するものであり、
前記介護者用サーバは、対話用の表示画面を表示すると共に、複数の被介護者に対する状況の画像を一画面上に複数表示する表示部と、対話者撮影用カメラとを少なくとも備え、前記複数の被介護者用コンピュータの内、特定の被介護者用コンピュータに対して過去の画像データ若しくは現在の画像データの送信を要求し、当該要求に対応して受信した画像データを前記表示部に出力する制御部とを有することを特徴とする介護ネットワークシステム。
【請求項２】
介護者用サーバにおいて、記憶部を備え、制御部が、少なくとも被介護者用コンピュータに対するアクセスログを取得して前記記憶部に記憶すると共に、アクセスログの内容を表示部の表示画面の一部に表示出力することを特徴とする請求項１記載の介護ネットワークシステム。
【請求項３】
被介護者用コンピュータにおいて、制御部が、状況撮影用カメラで撮影された現在の画像データを介護者用サーバに送信する際に、当該画像データにモザイク画像への変換処理又は動的感知ショットの画像への変換処理を施して送信することを特徴とする請求項１又は２記載の介護ネットワークシステム。
【請求項４】
被介護者用コンピュータにおいて、制御部が、記憶部に記憶される画像データを特定時間内に特定数撮影された静止画の画像データとすることを特徴とする請求項１乃至３のいずれか記載の介護ネットワークシステム。
【請求項５】
被介護者用コンピュータにおいて、被介護者の心拍数を測定するマットを設け、制御部が、前記マットで測定された心拍数が予め設定された範囲内にあるいか否かを判定し、前記範囲内になければ、介護者用サーバにアラーム信号及び測定された心拍数のデータを出力することを特徴とする請求項１乃至４のいずれか記載の介護ネットワークシステム。
【請求項６】
介護者用サーバにおいて、制御部が、被介護者用コンピュータから送信されたアラーム信号を受信すると、前記被介護者用コンピュータとの対話用の表示画面を表示部に表示させ、
前記被介護者用コンピュータにおいて、制御部が、前記介護者用サーバとの対話用の表示画面を表示部に表示させることを特徴とする請求項５記載の介護ネットワークシステム。
【請求項７】
介護者用サーバには、ネットワークを介して病院コンピュータが接続され、
前記病院コンピュータが、対話用の表示画面を表示する表示部と、対話者撮影用カメラと、前記介護者用サーバを介して特定の被介護者用コンピュータとの対話を行うために少なくとも回線を確保して対話可能な状態にする制御部とを備えることを特徴とする請求項１乃至６のいずれか記載の介護ネットワークシステム。
【請求項８】
介護者用サーバには、ネットワークを介して家庭コンピュータが接続され、
前記家庭コンピュータが、対話用の表示画面を表示する表示部と、対話者撮影用カメラと、前記介護者用サーバを介して特定の被介護者用コンピュータとの対話を行うために少なくとも回線を確保して対話可能な状態にすると共に、前記被介護者用コンピュータに対して過去の画像データ若しくは現在の画像データの送信を要求し、当該要求に対応して受信した画像データを前記表示部に出力する制御部とを備えることを特徴とする請求項１乃至７のいずれか記載の介護ネットワークシステム。
【請求項９】
家庭コンピュータにおいて、制御部が、特定の被介護者用コンピュータにアクセスする際に、アクセスする権限がある利用者であることを示す情報の入力を促し、当該入力された情報が適正でなければアクセスを許可しないようにしたことを特徴とする請求項８記載の介護ネットワークシステム。
【請求項１０】
介護者用サーバには、ネットワークを介して在宅コンピュータが接続され、
前記在宅コンピュータが、被介護者用コンピュータと同様の構成を備え、
前記介護者用サーバが、被介護者用コンピュータに対する処理と同様の処理を前記在宅コンピュータに対しても行うことを特徴とする請求項１乃至９のいずれか記載の介護ネットワークシステム。
【発明の詳細な説明】
【技術分野】
【０００１】
本発明は、介護に関するＩＴ（情報技術：Information Technology）を使用したネットワークシステム（以下、単に「介護ネットワークシステム」ということがある）に係り、特に、撮影画像のセキュリティを向上させ、伝送データのデータ量を減少させることができる介護ネットワークシステムに関する。
【背景技術】
【０００２】
従来の介護に関するＩＴを使用したネットワークシステムでは、介護事務所に介護管理サーバを設け、被介護者居室に画像撮影可能で対話できる通信装置を設置し、両者を通信回線で接続して、介護者と被介護者とのコミュニケーションを図るものがあった（特許文献１参照）。
【０００３】
また、別の従来の介護に関するＩＴを使用したネットワークシステムでは、監視者が利用者宅に電話を掛けても利用者が応答しなかった場合に、宅内に配設した撮影手段及び集音手段から画像及び音声を自動的に伝送させて利用者の現状を把握するものがあった（特許文献２参照）。
【０００４】
【特許文献１】特開２００３−６７４９４号公報
【特許文献２】特開２００１−２９１１７７号公報
【発明の開示】
【発明が解決しようとする課題】
【０００５】
しかしながら、上記従来の介護に関するＩＴを使用したネットワークシステムでは、介護者と被介護者とのコミュニケーションを図ること、若しくは、介護者が被介護者を監視することを主目的としているだけで、撮影された画像データの保存等に関するセキュリティ及び伝送データのデータ量等を考慮した実効性のあるネットワークシステムになっていないという問題点があった。
【０００６】
特に、上記介護に関するネットワークシステムでは、各被介護者居室で撮影された画像データは管理サーバに送信されて画像データベース等に保存されて、集中管理されるのが、一般的となっていた。但し、撮影された画像は、極めて個人のプライバシーに関わるものであるため、データの取扱には慎重を要するものである。
【０００７】
従って、通常、撮影された画像データが暗号化されて被看護者側の装置（端末）から管理サーバに送信されることになるが、データの送受信、蓄積におけるデータ漏洩防止のための処置を厳重にしなければならないものとなっていた。
【０００８】
本発明は上記実情に鑑みて為されたもので、撮影した画像データの漏洩防止を図ってセキュリティを向上させ、更に伝送データのデータ量を減少させることができるＩＴを使用した介護ネットワークシステムを提供することを目的とする。
【課題を解決するための手段】
【０００９】
本発明は、被介護者に対して特定単位毎に対応して設けられた複数の被介護者用コンピュータと、被介護者用コンピュータにネットワークを介して接続する介護者用サーバとを備えた介護ネットワークシステムであって、被介護者用コンピュータは、対話用の表示画面を表示する表示部と、対話者撮影用カメラとを少なくとも備え、更に被介護者の状況を撮影する状況撮影用カメラが接続され、状況撮影用カメラで撮影された画像データを記憶する記憶部と、介護者用サーバからの要求により記憶部に記憶した過去の画像データ若しくは状況撮影用カメラで撮影された現在の画像データを介護者用サーバに送信する制御部とを有するものであり、介護者用サーバは、対話用の表示画面を表示すると共に、複数の被介護者に対する状況の画像を一画面上に複数表示する表示部と、対話者撮影用カメラとを少なくとも備え、複数の被介護者用コンピュータの内、特定の被介護者用コンピュータに対して過去の画像データ若しくは現在の画像データの送信を要求し、当該要求に対応して受信した画像データを表示部に出力する制御部とを有することを特徴とする。
【００１０】
本発明は、上記介護ネットワークシステムにおいて、介護者用サーバには、記憶部を備え、制御部が、少なくとも被介護者用コンピュータに対するアクセスログを取得して記憶部に記憶すると共に、アクセスログの内容を表示部の表示画面の一部に表示出力することを特徴とする。
【００１１】
本発明は、上記介護ネットワークシステムにおいて、被介護者用コンピュータの制御部が、状況撮影用カメラで撮影された現在の画像データを介護者用サーバに送信する際に、当該画像データにモザイク画像への変換処理又は動的感知ショットの画像への変換処理を施して送信することを特徴とする。
【００１２】
本発明は、上記介護ネットワークシステムにおいて、被介護者用コンピュータの制御部が、記憶部に記憶される画像データを特定時間内に特定数撮影された静止画の画像データとすることを特徴とする。
【００１３】
本発明は、上記介護ネットワークシステムにおいて、被介護者用コンピュータには、被介護者の心拍数を測定するマットを設け、制御部が、マットで測定された心拍数が予め設定された範囲内にあるいか否かを判定し、範囲内になければ、介護者用サーバにアラーム信号及び測定された心拍数のデータを出力することを特徴とする。
【００１４】
本発明は、上記介護ネットワークシステムにおいて、介護者用サーバの制御部が、被介護者用コンピュータから送信されたアラーム信号を受信すると、被介護者用コンピュータとの対話用の表示画面を表示部に表示させ、被介護者用コンピュータの制御部が、介護者用サーバとの対話用の表示画面を表示部に表示させることを特徴とする。
【００１５】
本発明は、上記介護ネットワークシステムにおいて、介護者用サーバには、ネットワークを介して病院コンピュータが接続され、病院コンピュータが、対話用の表示画面を表示する表示部と、対話者撮影用カメラと、介護者用サーバを介して特定の被介護者用コンピュータとの対話を行うために少なくとも回線を確保して対話可能な状態にする制御部とを備えることを特徴とする。
【００１６】
本発明は、上記介護ネットワークシステムにおいて、介護者用サーバには、ネットワークを介して家庭コンピュータが接続され、家庭コンピュータが、対話用の表示画面を表示する表示部と、対話者撮影用カメラと、介護者用サーバを介して特定の被介護者用コンピュータとの対話を行うために少なくとも回線を確保して対話可能な状態にすると共に、被介護者用コンピュータに対して過去の画像データ若しくは現在の画像データの送信を要求し、当該要求に対応して受信した画像データを表示部に出力する制御部とを備えることを特徴とする。
【００１７】
本発明は、上記介護ネットワークシステムにおいて、家庭コンピュータの制御部が、特定の被介護者用コンピュータにアクセスする際に、アクセスする権限がある利用者であることを示す情報の入力を促し、当該入力された情報が適正でなければアクセスを許可しないようにしたことを特徴とする。
【００１８】
本発明は、上記介護ネットワークシステムにおいて、介護者用サーバには、ネットワークを介して在宅コンピュータが接続され、在宅コンピュータが、被介護者用コンピュータと同様の構成を備え、介護者用サーバが、被介護者用コンピュータに対する処理と同様の処理を在宅コンピュータに対しても行うことを特徴とする。
【発明の効果】
【００１９】
本発明によれば、被介護者に対して特定単位毎に対応して設けられた複数の被介護者用コンピュータと、被介護者用コンピュータにネットワークを介して接続する介護者用サーバとを備えた介護ネットワークシステムであって、被介護者用コンピュータは、対話用の表示画面を表示する表示部と、対話者撮影用カメラとを少なくとも備え、更に被介護者の状況を撮影する状況撮影用カメラが接続され、状況撮影用カメラで撮影された画像データを記憶する記憶部と、介護者用サーバからの要求により記憶部に記憶した過去の画像データ若しくは状況撮影用カメラで撮影された現在の画像データを介護者用サーバに送信する制御部とを有するものであり、介護者用サーバは、対話用の表示画面を表示すると共に、複数の被介護者に対する状況の画像を一画面上に複数表示する表示部と、対話者撮影用カメラとを少なくとも備え、複数の被介護者用コンピュータの内、特定の被介護者用コンピュータに対して過去の画像データ若しくは現在の画像データの送信を要求し、当該要求に対応して受信した画像データを表示部に出力する制御部とを有するものであり、被介護者の状況を撮影した画像データを被介護者用コンピュータの記憶部に記憶し、介護者用サーバからの要求により画像データを送信することで、介護者用サーバが画像データを一括して管理する場合に比べて、撮影した画像データの漏洩防止を図ってセキュリティを向上させ、更に伝送データのデータ量を減少させることができる効果がある。
【００２０】
本発明によれば、介護者用サーバには、記憶部を備え、制御部が、少なくとも被介護者用コンピュータに対するアクセスログを取得して記憶部に記憶すると共に、アクセスログの内容を表示部の表示画面の一部に表示出力する上記介護ネットワークシステムとしているので、介護用サーバは被介護者の画像データを一括管理しなくてもアクセスログでアクセス状況を把握できる効果がある。
【００２１】
本発明によれば、被介護者用コンピュータの制御部が、状況撮影用カメラで撮影された現在の画像データを介護者用サーバに送信する際に、当該画像データにモザイク画像への変換処理又は動的感知ショットの画像への変換処理を施して送信する上記介護ネットワークシステムとしているので、被介護者の動きを認識できると共に、被介護者のプライバシーを保護できる効果がある。
【００２２】
本発明によれば、被介護者用コンピュータの制御部が、記憶部に記憶される画像データを特定時間内に特定数撮影された静止画の画像データとする上記介護ネットワークシステムとしているので、被介護者用コンピュータの記憶部に記憶される画像データの容量を小さくして記憶容量を節約できる効果がある。
【００２３】
本発明によれば、被介護者用コンピュータには、被介護者の心拍数を測定するマットを設け、制御部が、マットで測定された心拍数が予め設定された範囲内にあるいか否かを判定し、範囲内になければ、介護者用サーバにアラーム信号及び測定された心拍数のデータを出力する上記介護ネットワークシステムとしているので、被介護者の心拍数が適正範囲内でなければ直ちに介護者用サーバに通知される効果がある。
【００２４】
本発明によれば、介護者用サーバの制御部が、被介護者用コンピュータから送信されたアラーム信号を受信すると、被介護者用コンピュータとの対話用の表示画面を表示部に表示させ、被介護者用コンピュータの制御部が、介護者用サーバとの対話用の表示画面を表示部に表示させる上記介護ネットワークシステムとしているので、被介護者の心拍数が適正範囲内でなければ直ちに介護者用サーバと被介護者用コンピュータとで対話可能にでき、被介護者の状況を容易に把握できる効果がある。
【００２５】
本発明によれば、介護者用サーバには、ネットワークを介して病院コンピュータが接続され、病院コンピュータが、対話用の表示画面を表示する表示部と、対話者撮影用カメラと、介護者用サーバを介して特定の被介護者用コンピュータとの対話を行うために少なくとも回線を確保して対話可能な状態にする制御部とを備える上記介護ネットワークシステムとしているので、病院コンピュータと被介護者用コンピュータとの間で対話できる効果がある。
【００２６】
本発明によれば、介護者用サーバには、ネットワークを介して家庭コンピュータが接続され、家庭コンピュータが、対話用の表示画面を表示する表示部と、対話者撮影用カメラと、介護者用サーバを介して特定の被介護者用コンピュータとの対話を行うために少なくとも回線を確保して対話可能な状態にすると共に、被介護者用コンピュータに対して過去の画像データ若しくは現在の画像データの送信を要求し、当該要求に対応して受信した画像データを表示部に出力する制御部とを備える上記介護ネットワークシステムとしているので、家庭コンピュータと被介護者用コンピュータとの間で対話でき、更に家庭コンピュータから被介護者の状況を撮影した画像を閲覧できる効果がある。
【００２７】
本発明によれば、家庭コンピュータの制御部が、特定の被介護者用コンピュータにアクセスする際に、アクセスする権限がある利用者であることを示す情報の入力を促し、当該入力された情報が適正でなければアクセスを許可しないようにした上記介護ネットワークシステムとしているので、被介護者のプライバシーを保護できる効果がある。
【００２８】
本発明によれば、介護者用サーバには、ネットワークを介して在宅コンピュータが接続され、在宅コンピュータが、被介護者用コンピュータと同様の構成を備え、介護者用サーバが、被介護者用コンピュータに対する処理と同様の処理を在宅コンピュータに対しても行う上記介護ネットワークシステムとしているので、在宅の被介護者に対して介護施設の被介護者と同様に対処できる効果がある。
【発明を実施するための最良の形態】
【００２９】
本発明の実施の形態について図面を参照しながら説明する。
本発明の実施の形態に係るＩＴを使用した介護ネットワークシステム（以下、単に「介護ネットワークシステム」ということがある）は、被介護者の室内で撮影された画像データは屋内のコンピュータ（ＰＣ）に一定期間蓄積されると共に、介護者が在席する管理センタのサーバからの要求があればライブ画像を当該管理センタのサーバに送信し、また、管理センタのサーバから上記各ＰＣにアクセスして過去の画像データを参照し、サーバでは画像データを蓄積するのではなく、アクセスのログを記録して表示可能とするものであり、更に被介護者の室内に設けられたマットで心拍数が測定され、その心拍数が予め定められた範囲内でなければ対話者撮影用カメラをオンしてＰＣの表示部に介護者との対話を行う画面を表示するものである。
【００３０】
これにより、本発明の実施の形態に係る介護ネットワークシステムでは、被介護者の室内で撮影された画像データは基本的には外部に送信されずに、そのＰＣ内に記憶されるため、画像データのセキュリティが向上でき、更に管理サーバからのアクセスで室内で撮影された画像データ又は過去に撮影された画像データを管理サーバに送信するため、管理サーバで画像データを一極集中管理するよりは、送信される画像データのデータ量を大幅に削減でき、更に、マット等で心拍数を測定し、異常があれば対話者撮影用カメラで被介護者と介護者が対話でき、被介護者の健康状態を確認できるという効果がある。
【００３１】
次に、本発明の実施の形態に係る介護ネットワークシステムについて図１を参照しながら説明する。図１は、本発明の実施の形態に係る介護ネットワークシステムの構成ブロック図である。
本発明の実施の形態に係る介護ネットワークシステム（本システム）は、図１に示すように、老人ホーム等の介護施設に設置され、介護者が在席して被介護者の室内の様子を閲覧すると共に被介護者と対話を行うサーバ１と、被介護者の室内に設置され、介護者と対話を行うコンピュータ（ＰＣ）２と、病院に設置され、医者との対話を行う病院ＰＣ３と、家庭に設置され、被介護者の室内の様子を閲覧すると共に家族との対話を行う家庭ＰＣ４と、老人ホームの室内にあるのと同じ構成のコンピュータを在宅に備える在宅ＰＣ５とから構成されている。
【００３２】
図１における介護ネットワークシステムの各部を具体的に説明する。
管理センタには、サーバ１と、表示部１５と、対話者撮影用カメラ１６とを備え、サーバ１内には、制御部１１と、主メモリ１２と、ハードディスク（ＨＤＤ）１３と、インタフェース部１４とを少なくとも備えている。
また、サーバ１には、各種指示を入力するキーボード、マウス等の入力部、会話を行うためのマイク及びスピーカ等の音声入出力部が設けられている。
【００３３】
サーバ１は、ＬＡＮ（Local Aria Network）を介して被介護者の室内に設けられたＰＣ２に接続すると共に、インターネットを介して病院ＰＣ３、家庭ＰＣ４、在宅ＰＣ５に接続する。
【００３４】
サーバ１の制御部１１は、ＣＰＵ（Central Processing Unit）等で構成され、当該制御部１１の動作によりＨＤＤ１３に格納された処理プログラムが主メモリ１２にロードされて、各種処理が実行可能となる。制御部１１における処理の詳細は後述する。
【００３５】
主メモリ１２には、ＨＤＤ１３に格納された処理プログラムがロードされて展開し、処理が実行される。また、主メモリ１３には、処理に必要なデータ等が一時的に記憶される。
ＨＤＤ１３は、処理プログラム及び関連するデータを格納し、特にサーバ１におけるアクセスログを記憶する。
インタフェース部１４は、サーバ１をＬＡＮ及びインターネットに接続すると共に、表示部１５と対話者撮影用カメラ１５を接続する。図１では、インタフェース部１４としてまとめて描画したが、接続先に応じて個別のインタフェース部を備えるようにしてもよい。
【００３６】
表示部１５は、サーバ１のインタフェース部１４に接続し、被介護者の室内の画像を表示し、対話者となる被介護者及び介護者の顔画像データを表示し、更に被介護者の過去の室内を撮影した画像データを表示し、サーバ１で為された処理のログを表示する。
尚、表示部１５には、同時に複数（例えば４つ）の室内画像が表示でき、更にその内の一つが拡大表示される。表示部１５における具体的な表示例は後述する。
【００３７】
また、介護者と被介護者との対話を行う際には、対話用の画面に切り替わり、被介護者の顔画像を大きく、介護者の顔画像を小さく表示する。介護者は、病院ＰＣ３、家庭ＰＣ４、在宅ＰＣ５の相手方とも同様に対話者撮影用カメラ及びマイクを用いて表示部に双方の顔画像を表示して対話することができる。
【００３８】
対話者撮影用カメラ１６は、介護者の顔を撮影するカメラであり、撮影された画像データは、サーバ１に出力され、ＨＤＤ１３に記憶されると共に表示部１５に表示され、更にＬＡＮを介して伝送され、対話者のＰＣ２の表示部２５に表示される。
また、対話者撮影用カメラ１６に対応してマイクが設置されており、音声を入力してサーバ１のＨＤＤ１３に音声データとして記憶されると共に、ＬＡＮを介して伝送され、対話者のＰＣ２に接続するスピーカに音声出力される。
【００３９】
被介護者が住居する室内には、室内コンピュータ（ＰＣ）２と、表示部２５と、対話者撮影用カメラ２６と、室内撮影用カメラ２７と、マット２８とを基本的に備えている。
ＰＣ２は、制御部２１と、主メモリ２２と、ハードディスク（ＨＤＤ）２３と、インタフェース部２４とを少なくとも備えている。
また、ＰＣ２には、各種指示を入力するキーボード、マウス、タッチパネル等の入力部、会話を行うためのマイク及びスピーカ等の音声入出力部が設けられている。
ＰＣ２は、ＬＡＮを介して介護者の管理センタに設けられたサーバ１に接続すると共に、サーバ１を経由してインターネットを介して病院ＰＣ３、家庭ＰＣ４、在宅ＰＣ５に接続する。
尚、ＰＣ２及びそれに接続する装置は、被介護者の室内だけでなく、食堂、ホール、談話室等に設置するようにしてもよい。
【００４０】
ＰＣ２の制御部２１は、ＣＰＵ等で構成され、当該制御部によりＨＤＤ２３に格納された処理プログラムが主メモリ２２にロードされて、各種処理が実行可能となる。制御部２１における処理の詳細は後述する。
【００４１】
主メモリ２２には、ＨＤＤ２３に格納された処理プログラムがロードされて展開し、処理が実行される。また、主メモリ２３には、処理に必要なデータ等が一時的に記憶される。
ＨＤＤ２３は、処理プログラム及び関連するデータを格納し、特に室内撮影用カメラ２７及び対話者撮影用カメラ２６で撮影された画像データを記憶する。また、室内に設けられたマイクがＰＣ２のインタフェース部２４に接続し、室内での音声を入力して音声データをＰＣ２に出力し、ＰＣ２のＨＤＤ２３に画像データと共に音声データも記憶されるようになっている。
【００４２】
インタフェース部２４は、ＰＣ２をＬＡＮに接続すると共に、表示部２５、対話者撮影用カメラ２６及び室内撮影用カメラ２７を接続する。図１では、インタフェース部２４としてまとめて描画したが、接続先に応じて個別のインタフェース部を備えるようにしてもよい。また、インタフェース部２４は、サーバ１を介さずに直接インターネットに接続できるようにしてもよい。
【００４３】
表示部２５は、ＰＣ２のインタフェース部２４に接続し、対話者となる介護者及び被介護者の顔画像データを表示する。
また、介護者と被介護者との対話を行う際には、介護者の顔画像を大きく、被介護者の顔画像を小さく表示する。被介護者は、病院ＰＣ３、家庭ＰＣ４、在宅ＰＣ５の相手方とも同様に対話者撮影用カメラ及びマイクを用いて表示部に双方の顔画像を表示して対話することができる。
【００４４】
対話者撮影用カメラ２６は、被介護者の顔を撮影するカメラであり、撮影された画像データは、ＰＣ２に出力され、ＨＤＤ２３に記憶されると共に表示部２５に表示され、更にＬＡＮを介して伝送され、対話者のサーバ１の表示部１５に表示される。
また、対話者撮影用カメラ２６に対応してマイクが設置されており、音声を入力してＰＣ２のＨＤＤ２３に音声データとして記憶されると共に、ＬＡＮを介して伝送され、対話者のサーバ１に接続するスピーカに音声出力される。
【００４５】
室内撮影用カメラ２７は、室内における被介護者の状況を撮影するカメラであり、撮影された画像データはＰＣ２のインタフェース部２４を介してＨＤＤ２３に記憶される。また、マイクで入力された音声データもＨＤＤ２３に画像データに同期しながら記憶される。
【００４６】
マット２８は、室内のベッド脇に設置され、被介護者がそのマットに足を乗せると、心拍数が測定され、測定結果をＰＣ２のインタフェース部２４に出力するマットである。尚、心拍数を測定するマットは既に販売されている。
【００４７】
病院ＰＣ３は、病院に設置されたコンピュータであり、対話者撮影用カメラとマイクが接続され、医師等の医療の専門家が介護者又は被介護者とインターネットを介してコンピュータの画面で対話できるようになっている。
【００４８】
家庭ＰＣ４は、家庭に設置されるコンピュータであり、対話者撮影用カメラとマイクが接続され、特に、被介護者のご家族の家庭に設置されて、被介護者のＰＣ２とインターネットで接続し、コンピュータの画面で対話できるようになっている。
また、家庭ＰＣ４は、身内の被介護者の現在及び過去の画像を閲覧できるようになっている。具体的には、家庭ＰＣ４の入力部から家族用のＩＤとパスワードの入力され、そのＩＤ、パスワードによって本人認証が正常に為されると、ＰＣ２は現在の画像に対する閲覧要求であればライブの画像データを家庭ＰＣ４に送信し、特定期間の過去の画像に対する閲覧要求であれはＨＤＤ２３から特定期間の過去の画像データを読み込んで家庭ＰＣ４に送信し、家庭ＰＣ４では画像データを受信して表示部に表示する。
【００４９】
在宅ＰＣ５は、在宅で介護を受ける被介護者宅に設置されたコンピュータであり、室内と同様に、ＰＣ、表示部、対話者撮影用カメラ、室内撮影用カメラ、マイク、マット等が備えられており、室内のＰＣ２と同様の処理が為されるものである。
【００５０】
次に、サーバ１及びそれに接続するＰＣ２との処理動作について説明する。
ＰＣ２では、常時、室内撮影用カメラ２７で室内を撮影し、撮影した画像データをＨＤＤ２３に格納する。このＨＤＤ２３への画像データの格納の際に、データの暗号化、データの圧縮を行うようにした方がよい。
ここで、ＨＤＤ２３に格納する画像データは、動画像のデータでもよいが、記憶容量を節約するために、静止画の画像データとしてもよい。例えば、１秒間に４枚の静止画の画像データを記憶するものが考えられる。
【００５１】
そして、サーバ１の入力部から、室内撮影用カメラ２７を選択する指示が入力されると、サーバ１の制御部１１は、ＰＣ２に対して室内撮影用カメラ２７で撮影したライブ（現在）の画像データ又は過去の画像データを送信するよう要求する。
【００５２】
ＰＣ２は、サーバ１から過去の画像データの送信要求を受けた場合には、サーバ１から過去の特定期間（再生開始日時〜再生終了日時）の指定があるので、その指定された期間の画像データをＨＤＤ２３から読み込み、ＬＡＮを介してサーバ１に送信する。
サーバ１では、受信したデータを復号化、伸長等の処理を行って、表示部１５に表示する。
従って、サーバ１の入力部からの指示により、ＰＣ２のＨＤＤ２３に格納された画像データをリモートコントロールで再生して閲覧できる。
【００５３】
また、ＰＣ２は、サーバ１から現在の画像データ（ライブ画像データ）の送信要求を受けた場合には、室内撮影用カメラ２７で撮影した画像を圧縮、暗号化してＨＤＤ２３に格納すると共に、ＬＡＮを介してサーバ１に送信する。
サーバ１では、受信したデータを復号化、伸長等の処理を行って、表示部１５に表示する。
尚、画像データに同期して音声データもＨＤＤ２３に記憶するようにしているので、音声データも同様にＰＣ２からサーバ１に送信し、サーバ１で再生して音声出力する。
【００５４】
ここで、サーバ１における過去の画像データの再生とライブ画像データの再生の違いを説明すれば、過去の画像は、被介護者に何か異変が発生した場合に、それまでの被介護者の状況をチェックするために画像再生するものであるが、ライブ画像は、被介護者が正常に生活して（動いて）いるか否かをチェックすればよく、ライブ画像において被介護者の細かい状況を介護者が閲覧するのはプライバシーの観点から好ましいものではない。無論、被介護者が許可すれば、ライブ画像を通常の画質の画像で再生することは可能である。
【００５５】
そこで、ライブ画像については、モザイク画像又は動的感知ショットの画像（撮影した画像において変動した点を描画した画像）をＰＣ２で編集して生成し、その編集したライブ画像データをサーバ１に送信する。
このようにしたことにより、被介護者のプライバシーが保護されると共に、伝送されるデータ量を通常の画像データ伝送に比べて少なくできる効果がある。
【００５６】
次に、介護者と被介護者との間における対話を実現する方法を説明する。
介護者がサーバ１に接続する表示部１５の被介護者の室内画像を参照しながら、その被介護者と会話をする必要があると考えた場合、対話用のソフトウェアを起動して対話画面を表示部１５に表示させ、相手の被介護者を呼び出して回線を接続し、会話を開始する。
相手方の被介護者のＰＣ２では、サーバ１からの呼び出しを受信し、被介護者に表示又は音若しくは双方で通知し、被介護者が表示部２５の画面で応答することにより、介護者の顔画像が表示されて会話が開始される。
【００５７】
また、被介護者が介護者と会話したい場合は、ＰＣ２で対話用のソフトウェアを起動し、対話画面を表示部２５に表示させ、相手の介護者を呼び出して回線を接続し、会話を開始する。介護者におけるサーバ１では、ＰＣ２からの呼び出しを受信して介護者に表示又は音若しくは双方で通知し、介護者が表示部１５の表示画面で応答することにより、被介護者の顔画像が表示されて会話が開始される。
【００５８】
また、介護者又は被介護者による自主的な会話開始の要求だけでなく、以下に説明するように、特定の条件を満たすと自動的に会話を開始可能とする場合がある。
具体的には、被介護者の室内に設置されたマット２８で検出された心拍数がＰＣ２に出力され、ＰＣ２でその検出された心拍数が、予めＨＤＤ２３に記憶された適正範囲であるかないかをＰＣ２の制御部２１で判断し、適正範囲外であると、ＬＡＮを介してサーバ１の表示部１５及びスピーカにアラームを出力して呼び出しを行う。介護者がサーバ１の表示部１５の画面で応答すると、表示部１５に対話画面が表示されると共に、ＰＣ２でも表示部２５に対話画面が表示されて強制的に対話可能とする。
尚、心拍数が適正範囲外であれば、直ちにサーバ１及びＰＣ２で対話用のソフトウェアを起動させ、サーバ１及びＰＣ２の双方を呼び出すようにしてもよい。
【００５９】
サーバ１に接続する表示部１５の表示例について図２を参照しながら説明する。図２は、本システムの表示部１５における表示画面の概要を示す説明図である。
図２に示すように、表示部１５の画面下側には、室内撮影用カメラ２７が設置された各部屋及びその他の部屋（娯楽室、食道、ロビー等）の名前（部屋番号等）が表示され、各部屋の番号等をマウス等で選択可能となっている。
その上には、第２の表示部３２，第３の表示部３３，第４の表示部３４，第５の表示部３５が配置され、選択した部屋の名前と共にその室内の撮影画像が表示される。
【００６０】
また、画面右上には、サーバ１のアクセスログが表示されるログ表示部３６が配置され、画面左上には、表示画像を選択するための第１の表示部３１が配置される。
第１の表示部３１には、その右上に選択された表示対象の部屋の名前が表示され、その下に選択する４つのカメラ（ＣＡＭＥＲＡ１〜４）ボタン４０とＯＦＦボタンとが表示される。
【００６１】
ＯＦＦボタンは、カメラをオフにするためのボタンであり、カメラボタン４０は、第２〜５の表示部３２〜３５のいずれかを選択すると共に第１の表示部３１に表示する画像を選択するボタンである。カメラボタン４０は、選択されたボタンのみが色が変わるようにすると見易い。
具体的には、カメラボタン４０で、例えばカメラ１を選択し、更に各部屋の名前表示部分から部屋名、例えば１０２号室を選択すると、その部屋の撮影画像が第２の表示部３２に表示されると共に、第１の表示部３１に表示される。
ここでカメラボタン４０でカメラ２を選択すると、第３の表示部３３で既に選択されている娯楽室の画像が第１の表示部３１に表示される。
【００６２】
また、第１の表示部３１の下側には、「停止」「再生」「巻戻し」「早送り」「生中継（ＬＩＶＥ）」「設定」等の操作ボタンが設置され、それらボタンをマウス等でクリックして押下されたら、ＰＣ２のＨＤＤ２３に録画された画像の再生等の処理を行う。
ただ、生中継の場合は、ＨＤＤ２３に入力される画像データが分岐されて送信されたものを受信して表示するようになっている。尚、送信される画像データは、モザイク処理又は動的感知ショットの処理が為された画像データとすることが考えられる。
【００６３】
また、第１の表示部３１とログ表示部３６との間に、映像時間が表示されるようになっており、第１段目に第１の表示部３１で表示している画像の再生時間を表示し、第２段目には、再生時間が現在時刻よりどの程度過去のものであるかを示している。例えば、第１段目に「２０：１２：１５」が表示され、第２段目に「−１２：３７：０５」が表示されていると、第１の表示部３１に表示されている画像は、１２時間３７分０５秒前（前日）の２０時１２分１５秒のものということになる。
尚、図２には示していないが、表示部１５の右下にＯＳが提供する現在時刻が一般的に表示される。
【００６４】
次に、本システムにおけるサーバ１の制御部１１の処理について図３を参照しながら説明する。図３は、サーバの制御部での処理を示すフローチャートである。
サーバ１の制御部１１は、図３に示すように、図２の表示画面でも示した通り、カメラボタン４０でカメラ番号を選択し（Ｓ１１）、続いて部屋番号（部屋の名前）を選択し（Ｓ１２）、操作ボタンが「生中継」であるか否かを判定する（Ｓ１３）。
【００６５】
処理Ｓ１２で、生中継の設定であれば（Ｙｅｓの場合）、制御部１１は、ＰＣ２に対してＬＩＶＥ映像の送信を要求し、受信したＬＩＶＥ映像（現在の画像）を表示する（Ｓ１４）。
また、処理Ｓ１２で、生中継の設定でなければ（Ｎｏの場合）、制御部１１は、過去の特定時間を選択する指示をＰＣ２に送信し（Ｓ１５）、その指示に対応してＰＣ２のＨＤＤ２３に録画された画像データをＰＣ２から受信し、再生表示する（Ｓ１６）。
【００６６】
そして、サーバ１において、画面上の停止ボタンが押されたか否かを判定し（Ｓ１７）、停止ボタンが押されていなければ（Ｎｏの場合）、画像データの表示を継続し、停止ボタンが押されたならば（Ｙｅｓの場合）、処理を終了する。
【００６７】
また、ＰＣ２における被介護者の心拍数による強制的な通話開始の処理について図４を参照しながら説明する。図４は、ＰＣ２における強制的通話開始の処理の流れを示すフローチャートである。
図４に示すように、ＰＣ２の制御部２１は、マット２８から入力された心拍数のデータが予め被介護者の適正値として設定した適正範囲外となったか否か判定し（Ｓ１）、適正範囲外の心拍数のデータでなければ（Ｎｏの場合）、判定処理Ｓ１を繰り返す。
【００６８】
適正範囲外の心拍数のデータであれば（Ｙｅｓの場合）、管理センタのサーバ１に通報し（Ｓ２）、適正範囲外となった心拍数のデータをサーバ１に送信する（Ｓ３）。
更に、ＰＣ２の制御部２１は、サーバ１との通信回線及び画像回線を確保し（Ｓ４）、ＰＣ２の被介護者とサーバ１の介護者とが対話を開始できるようにする。この際に、表示部２５と対話者撮影用カメラ２６とを自動的にオンして対話の準備をするようにしてもよい。
【００６９】
本システムによれば、被介護者の状況を撮影した画像データは、被介護者の室内に設置されたＰＣ２のＨＤＤ２３に蓄積するようにし、サーバ１からは要求があるときのみ蓄積した画像データ及びライブ画像データを送信しているので、サーバ１で大容量の画像データを管理する手間を省くことができ、更にＰＣ２とサーバ１との間の回線における占有率を小さくでき、更に被介護者の撮影データのセキュリティを確保できる効果がある。
【００７０】
また、本システムによれば、ＰＣ２のＨＤＤ２３に蓄積する画像データを特定時間内に特定枚数を撮影した静止画のデータとすれば、ＨＤＤ２３の容量を節約できる。更に、その静止画のデータを圧縮・暗号化すれば効果的である。
【００７１】
また、本システムによれば、ＰＣ２からサーバ１に送信するライブ画像データをモザイク画像又は動的感知ショットの画像とすれば、被介護者のプライバシーの保護が図ることができると共に、伝送データ量を減少させることができる。
【００７２】
尚、本システムでは、老人ホーム等の介護施設を想定したものとなっているが、在宅介護を主として、図１における管理センタのサーバ１等と一つ又は複数の在宅ＰＣ５で構成されるシステムとしてもよい。
また、本システムを病院等の施設に適用し、ＰＣ２を病室等に設置するようにしてもよい。
【産業上の利用可能性】
【００７３】
本発明は、撮影した画像データの漏洩防止を図ってセキュリティを向上させ、更に伝送データのデータ量を減少させることができる介護ネットワークシステムに好適である。
【図面の簡単な説明】
【００７４】
【図１】本発明の実施の形態に係る介護ネットワークシステムの構成ブロック図である。
【図２】本システムの表示部１５における表示画面の概要を示す説明図である。
【図３】サーバの制御部での処理を示すフローチャートである。
【図４】ＰＣ２における強制的通話開始の処理の流れを示すフローチャートである。
【符号の説明】
【００７５】
１…サーバ、  ２…室内ＰＣ、  ３…病院ＰＣ、  ４…家庭ＰＣ、  ５…在宅ＰＣ、  １１…制御部、  １２…主メモリ、  １３…ＨＤＤ、  １４…インタフェース部、  １５…表示部、  １６…対話者撮影用カメラ、  ２１…制御部、  ２２…主メモリ、  ２３…ＨＤＤ、  ２４…インタフェース部、  ２５…表示部、  ２６…対話者撮影用カメラ、  ２７…室内撮影用カメラ、  ２８…マット
【図１】
2005321883.tif 000003
【図２】
2005321883.tif 000004
【図３】
2005321883.tif 000005
【図４】
2005321883.tif 000006